(57)【要約】      （修正有）【課題】束ねるべき書類を保持しつつ位置合せを行うことができ、迅速に書類を綴じることができる書類綴じ装置を提供する。【解決手段】線材２の一端にリベット部を有するファスナー部材１１と、それに取り付けられる抜け止め部材５とからなる綴じ具１０と、基台２１の表面に線材の係止部２２を設け、その下方にリベット部を収容するための収容空間２３を設けた書類綴じ補助具２０とによって書類綴じ装置を構成した。書類綴じ補助具によって支持された線材に、書類の綴じ孔を差し込むことで、書類を揃えた状態で保持することができ、書類が溜まった際には、線材に抜け止め部材を装着することで、速やかに書類束を形成することができる。【選択図】図１
0003187883.tif 000002
【実用新案登録請求の範囲】
【請求項１】
線材（２）の一端にリベット部（３）を有するファスナー部材（１１）と、前記線材（２）に取り付けられる抜け止め部材（５）と、からなる綴じ具（１０）と、
基台（２１）の表面部に前記線材（２）を起立状態で係止させるための係止部（２２）を設けると共に、該係止部（２２）の下方に前記リベット部（３）を収容するための収容空間（２３）を設けた書類綴じ補助具（２０）と、
を含んで構成されたことを特徴とする書類綴じ装置。
【請求項２】
前記係止部（２２）を、前記収容空間（２３）の上方に設けられた開口部（２５）と、起立状態の前記線材（２）をスライドさせて前記開口部（２５）に導くための導入部（２６）と、で構成すると共に、該導入部（２６）を塞ぐ蓋部（４０）を設けたことを特徴とする請求項１に記載の書類綴じ装置。
【請求項３】
前記抜け止め部材（５）を収容するための凹部（４３）を前記基台（２１）又は前記蓋部（４０）に設けたことを特徴とする請求項２に記載の書類綴じ装置。
【請求項４】
前記係止部（２２）及び前記収容空間（２３）は、所定の間隔をあけて複数設けられたことを特徴とする請求項１〜請求項３の何れか１つの請求項に記載の書類綴じ装置。
【請求項５】
前記係止部（２２）又は前記収容空間（２３）は、前記基台（２１）の縁部に沿って同一間隔で連続的に設けられていることを特徴とする請求項４に記載の書類綴じ装置。  
【請求項６】
前記収容空間（２３）は、前記基台（２１）の縁部に沿って直線状に延びていることを特徴とする請求項１〜請求項３の何れか１つの請求項に記載の書類綴じ装置。
【考案の詳細な説明】
【技術分野】
【０００１】
本考案は、書類を差し込んで保持すると共に保持された書類を綴じて書類束を形成するための装置に関し、特に、書類を綴じる作業を容易且つ迅速に行うことができる書類綴じ装置に関する。
【背景技術】
【０００２】
データ用紙、伝票、フォーム用紙などの綴じ孔を有する書類を保持するための道具として、鋏で切断可能な線材の一端にリベット部を設けたファスナー部材と、線材に嵌め込んで書類が抜け出すのを防止するための抜け止め部材と、からなる綴じ具が提案されている（非特許文献１を参照）。
この種の綴じ具としては、図１４に示すように、軸線方向に等間隔に形成された複数のリブ１を有する線材２の一端に、抜け止め用のリベット部３を設けてファスナー部材とし、その先端に設けられた連結部４を介し、リング状の抜け止め部材５を設けたものがある。
【０００３】
線材２に設けられた夫々のリブ１は、リベット部３の側に向かうにつれて拡径する円錐台形状であり、リング状の抜け止め部材５は、開口の中央部に向けて四方から延びる舌片部６を有している。この抜け止め部材５を、線材２から切り離し、切り離された先端部から線材２に通し、リベット部３に向けて進めていくことで、図１４（ｃ）に示すように、書類を束ねた状態で綴じることができるようになっている。
この際、抜け止め部材５の舌片部６は、夫々のリブ１の傾斜状の側面部に摺接しながら移動し、書類を束ねる位置においてリブ１の底面部にて係止される。リブ１の底面部において係止された舌片部６は、もはや逆方向に移動することができないので、書類束をしっかり綴じることができるようになっている。
【０００４】
締め付けられた残りの線材２’は、鋏などで切断することによって、書類束の嵩を低くした状態で綴じることができる。
また、図１５に示すように、パイプ状の線材７の一端にリベット部８を設け、他端部をリベット状の抜け止め部材９を装着するようにした綴じ具も提案されている。パイプ状の線材を書類の綴じ孔に挿入し、所望の長さに切断し、他端部を抜け止め部材９で封止することで、書類を綴じることができる。
【先行技術文献】
【非特許文献】
【０００５】
【非特許文献１】「カール事務器  総合カタログｖｏｌ．１」、カール事務器株式会社、２００９年、ｐ．３１
【考案の概要】
【考案が解決しようとする課題】
【０００６】
しかしながら、上記の綴じ具を使用する際には、書類を束ねた状態にしておく必要があり、データ用紙など、綴じ孔を有する書類を束ねる場合は、孔の位置合せが煩雑であった。また、束ねるべき書類を一時的に保持しておくためのトレイが必要であるし、溜まった書類を綴じる際には、書類を揃えて孔の位置合せを行った後、綴じ具を装着するという作業が必要であるため、書類を綴じる作業に手間がかかっていた。
そこで、本考案は、束ねるべき書類を保持しつつ位置合せを行うことができ、迅速且つ容易に書類を綴じることができる書類綴じ装置の提供を目的とする。
【課題を解決するための手段】
【０００７】
上記課題を解決するために、本考案に係る書類綴じ装置は、線材の一端にリベット部を有するファスナー部材と、前記線材に取り付けられる抜け止め部材と、からなる綴じ具と、  基台の表面部に前記線材を起立状態で係止させるための係止部を設けると共に、該係止部の下方に前記リベット部を収容するための収容空間を設けた書類綴じ補助具と、を含んで構成されたことを特徴とするものである。
【０００８】
この場合、前記係止部を、前記収容空間の上方に設けられた開口部と、起立状態の前記線材をスライドさせて前記開口部に導くための導入部と、で構成すると共に、該導入部を塞ぐ蓋部を設けてもよい。
また、前記抜け止め部材を収容するための凹部を前記基台又は前記蓋部に設けてもよい。
【０００９】
また、前記係止部及び前記収容空間は、所定の間隔をあけて複数設けられていてもよい。
この場合、前記係止部又は前記収容空間は、前記基台の縁部に沿って同一間隔で連続的に設けられていてもよい。
また、前記収容空間は、前記基台の縁部に沿って直線状に延びていてもよい。  
【考案の効果】
【００１０】
請求項１に係る書類綴じ装置は、ファスナー部材の線材を起立状態で係止させるための係止部を有し、その下方に前記リベット部を収容するための収容空間を設けて構成されるれた書類綴り補助具を備えるので、この補助具によって支持された線材に、書類の綴じ孔を差し込むことで、綴じ孔の位置を合わせた状態で、書類を保持することができる。
そして、書類が溜まった際には、この線材に抜け止め部材を装着することで、書類を綴じることができるので、速やかに書類束の状態にすることができる。
【００１１】
このように、書類を保管する際には、ファスナー部材の線材を、書類を差し込むための支柱として機能させ、書類束を作成する際には、線材に抜け止め部材を装着することで、結束具として機能させることができるので、書類を綴じて書類束を作成する作業を、迅速克容易に行うことができる。
【００１２】
請求項２に係る書類綴じ装置は、収容空間の上方に開口部を設け、その開口部に、起立状態の線材をスライドさせて導くための導入部を設けたので、起立状態の線材をスライドさせて容易に係止部に係止させることができる。
また、導入部を塞ぐ蓋部を有するので、係止部からファスナー部材が抜け出すのを防止することができる。
【００１３】
請求項３に係る書類綴じ装置は、抜け止め部材を収容するための凹部が基台に設けられているので、抜け止め部材の紛失を防止することができる。
【００１４】
請求項４に係る書類綴じ装置は、ファスナー部材の線材を起立状態に支持するための係止部と収容空間を、所定の間隔をあけて複数設けたので、複数のファスナー部材を使用して、線材を複数起立させることができる。この複数の線材に、書類の綴じ孔を差し込むことで、同一サイズの書類の場合は、両端を揃えた状態で保持することができる。この状態で、ファスナー部材に抜け止め部材を装着すれば、両端の揃った冊子状の書類束を形成することができる。
【００１５】
請求項５に係る書類綴じ装置は、ファスナー部材の線材を起立状態にするための係止部や収容空間を、基台の縁部に沿って同一間隔で連続的に設けたので、書類の綴じ孔の間隔にあわせて、線材を起立させることができ、汎用性が向上される。
請求項６に係る書類綴じ装置は、収容空間を、基台の縁部に沿って直線状に形成したので、その収容空間に沿ってスライドさせることで、書類の綴じ孔の位置に合わせて、任意の位置に線材を起立させることができる。
【図面の簡単な説明】
【００１６】
【図１】本考案の第１実施形態に係る書類綴じ装置を示す斜視図である。
【図２】上記書類綴じ装置の綴じ具を示し、（ａ）は正面図、（ｂ）は縦断面図である。
【図３】上記綴じ具が締め付けられる状態を示す要部断面図である。
【図４】上記書類綴じ装置の断面図である。
【図５】上記書類綴じ装置の使用状態を示す説明図である。
【図６】上記書類綴じ装置の第１変形例を示す斜視図である。
【図７】上記書類綴じ装置の第２変形例を示す斜視図である。
【図８】上記書類綴じ装置の第３変形例を示す斜視図である。
【図９】上記書類綴じ装置の第４変形例を示す斜視図である。
【図１０】上記第４変形例に係る書類綴じ装置を構成する綴じ具と、書類綴じ補助具とを示す斜視図である。
【図１１】上記書類綴じ装置を使用して、書類を揃えて保持する状態を示す斜視図である。
【図１２】書類綴じ補助具から書類を外す状態を示す斜視図である。
【図１３】綴じ具の線材を切断して冊子状の書類束を作成する状態する状態を示す斜視図である。
【図１４】従来の綴じ具の第１態様であり、（ａ）は正面図、（ｂ）は断面図、（ｃ）は抜け止め部材を装着する状態、（ｄ）は抜け止め部材で締め付けた後に、線材を切断した状態を示す。
【図１５】従来の綴じ具の第２態様であり、（ａ）は正面図、（ｂ）は書類を束ねる状態、（ｃ）は線材を切断した状態、（ｄ）は抜け止め部材を装着した状態を示す。
【考案を実施するための形態】
【００１７】
本考案の好適な実施形態について、添付図面に基づいて説明する。なお、実施形態は以下の形態に限定されるものではなく、本考案の課題を解決しうるものであれば他の態様も実施可能である。
【００１８】
図１は、本考案の実施形態に係る書類綴じ装置を示す斜視図である。
この書類綴じ装置は、データ用紙や伝票などの綴じ孔を有する書類を差し込んで保持すると共に、保持された書類をファスナーで綴じて書類束を形成するためのものであり、綴じ具１０と、書類綴じ補助具２０と、によって構成される。
綴じ具１０は、図２に示すように、線材２の一端に抜け止め用のリベット部３を設けて構成されたファスナー部材１１と、その線材に差し込まれるリング状の抜け止め部材５と、によって構成される。
【００１９】
抜け止め部材５は、ファスナー部材１１と一体成形されたもので、手で切り離すことができるような細さに形成された連結部４を介して、ファスナー部材１１の線材２の先端部に設けられている。
ファスナー部材１１は、合成樹脂等の成形性の良い材料によって構成されており、線材２には、軸線方向に向けて等間隔に形成された複数のリブ１が形成されている。その線材２の一端に、書類の綴じ孔から線材２が抜け出すのを防止するためのリベット部３が設けられている。
【００２０】
線材２に設けられた夫々のリブ１は、リベット部３の側に向けて拡径する円錐台形状であり、リング状の抜け止め部材５は、開口の中央部に向けて四方から延びる舌片部６を有している。舌片部６の線材２への差込側の面６ａは、先端に向かうにつれて薄くなるように傾斜している。
この抜け止め部材５を、線材２から切り離し、切り離された先端部から線材２に差込み、リベット部３に向けて進めていくことで、書類を束ねた状態で綴じることができる。この際、抜け止め部材５の舌片部６は、夫々のリブ１の傾斜状の側面部１ａに摺接しながら移動し、リブ１の底面部１ｂにおいて係止される。リブ１の底面部１２にて係止された舌片部６は、もはや逆方向に撓むことができないので、抜け止め部材５がファスナー部材１１から抜け出すことはなく、書類束をしっかり綴じることができる（図３を参照）。
【００２１】
この綴じ具と共に使用される書類綴じ補助具２０は、基台２１の表面部に、ファスナー部材１１の線材２を起立状態で係止させるための係止部２２を設けると共に、その係止部２２の下方にリベット部３を収容するための収容空間２３を設けた構造をなしている。
基台２１の表面は、書類を載置することができる面積を有しており、図４に示すように、正面に向かうにつれて低くなるように傾斜している。
この基台の表面には段差が形成されており、上段部の縁部において線材２の係止部２２が形成され、その下に、リベット部３を収容するための収容空間２３が形成される。
【００２２】
即ち、リベット部３の収容空間２３は、基台２１の一端部から他端部に向けて、直線状に延びており、その上方に係止部２２が設けられる。この係止部２２は、基台２１の縁部と平行な波線状の縁部として構成され、そのような縁部を有する屋根部２４が、レール状の収容空間２３の上方に形成された状態となっている。
縁部の波線のピッチは、綴じ孔の径や線材２の細さに合わせて設計されており、例えば、綴じ孔の直径の１／３〜２／３程度が好ましい。
【００２３】
屋根部２４の波線状の縁部は、同一の間隔で連続的に形成された凸凹状となっているので、レール状の収容空間２３に沿ってファスナー部材１１を移動させながら、係止部２２に係止させることで、書類の綴じ孔の位置に合わせて、任意の位置で起立させることができる。
波線状の凹状の部位をもって、起立状態のファスナー部材１１を係止させるための開口部２５とし、その開口部２５に連続するように、起立状態のファスナー部材１１をスライドさせて開口部２５に導くための導入部２６を構成している。
【００２４】
上記構成の書類綴じ装置の使用状態を説明する。
先ず、綴じ具１０を２個用意し、先端の抜け止め部材５を切り離す。これによって形成されたファスナー部材１１を、基台２１の２箇所に係止させる。この際、書類の綴じ孔の間隔に合わせて配置する。
書類を保持する際には、図５（ａ）に示すように、ファスナー部材１１の線材２を支柱として、その支柱に書類３０の綴じ孔を挿入する。
【００２５】
書類が溜まった際には、図５（ｂ）に示すように、抜け止め部材５を線材２の先端から差し込む。そして、リブに係止させて書類が抜け落ちるのを防止した状態で、基台から取り外す。
書類束を取り外した後、更に、抜け止め部材５を進めて線材２を締め付け、残りの線材２’を鋏などで切断することによって、嵩を低くした状態で、書類を綴じることができる。
このようにすることで、書類を保持するスペースで、速やかに書類束を作成することができる。
綴じようとする書類を蓄積するためのスペースや、書類を綴じ孔の位置に合わせて揃えるための作業が不要となるので、書類整理における省スペース化、迅速化が図れる。
【００２６】
なお、本考案において、図６に示す第１変形例のように、導入部２６を塞ぐための蓋部４０を設けてもよい。この場合、蓋部４０の縁部４１は、基台２１の屋根部２４に嵌合するように構成する。また、閉鎖空間としての開口部２５が形成されるように、所定の位置に凹部４２を設けた構成とするのが望ましい。
また、ファスナー部材１１から抜け止め部材５を切り外した後に、その抜け止め部材５を収容するための収納凹部４３を、基台２１や蓋部４０に設けてもよい。
【００２７】
また、図７に示す第２変形例のように、係止部２２及び収容空間２３は、所定の間隔をあけて複数の箇所に設けられていてもよい。この場合、係止部２２は、前記基台の縁部に沿って同一のピッチで連続的に設けるのが好ましい。
屋根部２４の下方の収容空間２３は直線的なレール状ではなく、リベット部３が嵌合可能な凹凸形状を成したものであってもよい。
【００２８】
また、図８に示す第３変形例のように、基台２１の一箇所に、綴じ具1０を係止させるための係止部を設けても良い。
この場合、収容空間２３’を閉鎖空間とし、その上方に開口部２５’を設け、その開口部２５’から基台２１の縁部に向けて、起立状態のファスナー部材１１を開口部２５’へと導入するための導入部２６’を設けてもよい。
本考案における書類綴じ補助具２０は、基台２１の表面部に綴じ具１０を起立状態で係止させるための係止部を設けると共に、その係止部の下方にリベット部を収容するための収容空間を設けた構造であればよく、例えば、図９に示す第４変形例のように、平坦な基台２１に直線状の溝（即ち、収容空間２３）を設け、その溝に屋根部２４”を形成してもよい。
【００２９】
直線状の溝は、基台２１の両端において開放されており、その開放部から綴じ具１０を起立状態で差し込んでスライドさせ、所望の位置にて係止させる。溝の幅を、ファスナー部材１１の幅に応じて設計することで、ファスナー部材１１を導くための導入部２６”と、係止させるための開口部２５”とを形成することができる。
この変形例に係る書類綴じ装置は、図１０に示す部材によって構成される。
使用の際には、図１１に示すように、ファスナー部材に書類の綴じ孔を差し込むことで、書類を端を揃えて保持することができる。揃った状態の書類束を、書類綴じ補助具から取り外し（図１２を参照）、抜け止め部材によってファスナー部材１１を締め付け、残余のファスナー部材を切断することで冊子状の書類束を作成することができる（図１３を参照）。
【００３０】
本考案に使用される綴じ具１０は、線材の一端にリベット部を有するファスナー部材と、前記線材に取り付けられる抜け止め部材と、からなるものであれば如何なる構造であってもよく、例えば、線材としては、パイプ状のものであってもよい。
また、抜け止め部材としては、パイプ状の線材の中に挿入して嵌合させるもの、線材の外側に被せて固定するもの等、様々な形態のものを採用することができる。
【産業上の利用可能性】
【００３１】
本考案は、紙、ビニール、皮などあらゆるシート素材からなる書類を綴るための装置として、あらゆる産業分野において適用することができる。  
【符号の説明】
【００３２】
1・・・リブ
２、７・・・線材
３、８・・・リベット部
４・・・連結部
５、９・・・抜け止め部材
６・・・舌片部
１０・・・綴じ具
１１・・・ファスナー部材
２０・・・書類綴じ補助具
２１・・・基台
２２・・・係止部
２３・・・収容空間
２４・・・屋根部
２５・・・開口部
２６・・・導入部
３０・・・書類
４０・・・蓋部
４３・・・収納凹部
【図１】
0003187883.tif 000003
【図２】
0003187883.tif 000004
【図３】
0003187883.tif 000005
【図４】
0003187883.tif 000006
【図５】
0003187883.tif 000007
【図６】
0003187883.tif 000008
【図７】
0003187883.tif 000009
【図８】
0003187883.tif 000010
【図１４】
0003187883.tif 000011
【図１５】
0003187883.tif 000012
【図９】
0003187883.tif 000013
【図１０】
0003187883.tif 000014
【図１１】
0003187883.tif 000015
【図１２】
0003187883.tif 000016
【図１３】
0003187883.tif 000017